(57)【要約】      （修正有）【課題】容易に設置することが出来ると共に、長尺物の長さや量に応じてその大きさが調節可能であり、更に、非使用時には占有スペースをより小さくすることの出来る新規な構造の片梁式の長尺物用載架台と、これを簡易な構造と少ないコストで実現することの出来る新規な構造の棚体を提供する。【解決手段】水平方向に直線状で互いに平行に延びる一対の下側支持腕部２２，２２と、該下側支持腕部２２，２２の鉛直上方で該下側支持腕部２２，２２と平行に延びる上側支持腕部２０が、連結体２４，２６で連結された基本構造を有しており、それら下側支持腕部２２，２２及び該上側支持腕部２０で囲まれた囲繞領域が、それら各支持腕部２２，２０の延出方向および隣接方向でそれぞれ開放されており、複数を鉛直方向に積み重ね可能とした棚体１８。【選択図】図１
0003144064.tif 000002
【実用新案登録請求の範囲】
【請求項１】
水平方向に直線状で互いに平行に延びる一対の下側支持腕部と、該下側支持腕部の鉛直上方で該下側支持腕部と平行に延びる上側支持腕部が、これら下側支持腕部及び上側支持腕部の延出方向に対する直交方向に延びる連結体で連結された基本構造を有しており、該下側支持腕部及び該上側支持腕部が該連結体による連結部分からの延び出し方向で相互に独立して突出せしめられて、該下側支持腕部及び該上側支持腕部で囲まれた囲繞領域が、それら各支持腕部の延出方向で開放されていると共に、隣り合う各支持腕部間においても開放されており、それら各支持腕部の延出方向における該囲繞領域の開放方向が互いに同じ水平方向となるようにして、複数を積み重ねて設置可能とされていることを特徴とする棚体。
【請求項２】
前記上側支持腕部及び前記下側支持腕部が、同じ規格の鋼材を用いて形成されている請求項１に記載の棚体。
【請求項３】
前記連結体が、前記上側支持腕部及び前記下側支持腕部と同じ規格の鋼材を用いて形成されている請求項２に記載の棚体。
【請求項４】
前記上側支持腕部及び前記下側支持腕部のそれぞれにおいて、設置状態下での鉛直方向両側面が何れも水平方向に広がる平坦面とされている請求項１乃至３の何れか一項に記載の棚体。
【請求項５】
前記下側支持腕部が、前記連結体との連結部分から前記囲繞領域の形成側と反対側に向かって延長されていることにより後方突出部が形成されている請求項１乃至４の何れか一項に記載の棚体。
【請求項６】
前記連結体が前記上側支持腕部の端部に連結されることによって、該上側支持腕部が該連結体による連結部分から水平方向一方向に延び出しており、該連結部分に対する一方の側に前記囲繞領域が形成されている請求項１乃至５の何れか一項に記載の棚体。
【請求項７】
前記上側支持腕部及び前記下側支持腕部が前記連結体による連結部分から水平方向両側に延び出しており、該連結部分に対する両方の側に前記囲繞領域が形成されている請求項１乃至５の何れか一項に記載の棚体。
【請求項８】
互いに積み重ねられて設置される際に、下段側の前記上側支持腕部と上段側の前記下側支持腕部とを互いに連結する連接部材が組み合わされた請求項１乃至７の何れか一項に記載の棚体。
【請求項９】
互いに積み重ねられて設置される際に、前記下段側の前記上側支持腕部と前記上段側の前記下側支持腕部とが、それらの延出方向における複数箇所において、前記連接部材によって連結されるようになっている請求項８に記載の棚体。
【請求項１０】
前記連接部材が、前記下段側の前記上側支持腕部が下方から嵌め入れられて該上側支持腕部を延出方向に直交する幅方向両側から水平方向に挟む一対の下方突出壁部を有する下側嵌合部と、前記上段側の前記下側支持腕部が上方から嵌め入れられて該下側支持腕部を延出方向に直交する幅方向両側から水平方向に挟む一対の上方突出壁部を有する上側嵌合部とを備えている一方、該連接部材を該下段側の該上側支持腕部と該上段側の該下側支持腕部との少なくとも一方に対して固定するボルト等の固定手段が設けられている請求項８又は９に記載の棚体。
【請求項１１】
前記下側支持腕部と前記上側支持腕部が、各一対ずつ、それら下側支持腕部及び上側支持腕部の延出方向視において矩形の各頂点にそれぞれ配設されていると共に、それぞれ鉛直方向上下で対向位置せしめられた該上側支持腕部と該下側支持腕部の間に跨がってそれぞれ鉛直方向に延びる一対の鉛直連結部と、それら一対の鉛直連結部間に跨がってそれぞれ水平方向に延びる上下一対の水平連結部とを含んで、前記連結体が構成されている請求項１乃至１０の何れか一項に記載の棚体。
【請求項１２】
一対の前記下側支持腕部と一つの前記上側支持腕部が、これら下側支持腕部及び上側支持腕部の延出方向視において二等辺三角形の各頂点にそれぞれ配設されていると共に、該上側支持腕部とそれぞれの該下側支持腕部との間に跨がって直線的に延びる一対の傾斜連結部によって前記連結体が構成されており、該下側支持腕部及び該上側支持腕部の延出方向視において該連結体が鉛直下方に向かって広がる逆Ｖ字形状とされている請求項１乃至１０の何れか一項に記載の棚体。
【請求項１３】
一対の前記下側支持腕部と一つの前記上側支持腕部が、これら下側支持腕部及び上側支持腕部の延出方向視において二等辺三角形の各頂点にそれぞれ配設されていると共に、該上側支持腕部とそれぞれの該下側支持腕部との間に跨がって直線的に延びる一対の傾斜連結部と、一対の該下側支持腕部の間に跨がって直線的に延びる水平連結部とによって前記連結体が構成されており、該下側支持腕部及び該上側支持腕部の延出方向視において該連結体が二等辺三角形状とされている請求項１乃至１０の何れか一項に記載の棚体。
【請求項１４】
一対の前記下側支持腕部と一つの前記上側支持腕部が、これら下側支持腕部及び上側支持腕部の延出方向視において二等辺三角形の各頂点にそれぞれ配設されていると共に、一対の該下側支持腕部の間に跨がって直線的に延びる水平連結部と、該上側支持腕部から鉛直下方に直線的に延びて該水平連結部の長さ方向中央に連結される鉛直連結部とによって前記連結体が構成されており、該下側支持腕部及び該上側支持腕部の延出方向視において該連結体が逆Ｔ字形状とされている請求項１乃至１０の何れか一項に記載の棚体。
【請求項１５】
前記下側支持腕部と前記上側支持腕部が、各一対ずつ、それら下側支持腕部及び上側支持腕部の延出方向視において矩形の各頂点にそれぞれ配設されていると共に、それぞれ鉛直方向上下で対向位置せしめられた該上側支持腕部と該下側支持腕部の間に跨がってそれぞれ鉛直方向に延びる一対の鉛直連結部と、該一対の下側支持腕部間と該一対の上側支持腕部間との何れか一方の間に跨がって水平方向に延びる水平連結部によって前記連結体が構成されており該下側支持腕部及び該上側支持腕部の延出方向視において該連結体が上方と下方の何れか一方に開口するコの字形状とされている請求項１乃至１０の何れか一項に記載の棚体。
【請求項１６】
一対の前記下側支持腕部と一対の前記上側支持腕部が、これら下側支持腕部及び上側支持腕部の延出方向視において下底が上底よりも大きい台形の各頂点にそれぞれ配設されていると共に、隣り合う各支持腕部間に跨がって直線的に延びる計４本の連結部によって前記連結体が構成されており、該下側支持腕部及び該上側支持腕部の延出方向視において該連結体が台形状とされている請求項１乃至１０の何れか一項に記載の棚体。
【請求項１７】
互いに所定距離を隔てて並設されて水平方向で平行に延びる複数本の支持アームによって構成されてそれら複数本の支持アーム間に跨がって長尺物を載置せしめるようにした棚段が、鉛直方向で所定距離を隔てて複数段設けられてなる多段構造をもった片梁式の長尺物用載架台において、
請求項１乃至１６の何れか一項に記載の棚体の複数が水平方向及び鉛直方向の少なくとも一方に並べられることによって構成されており、該棚体の前記上側支持腕部及び前記下側支持腕部の少なくとも一方が前記支持アームとして用いられていることを特徴とする片梁式の長尺物用載架台。
【請求項１８】
前記棚段の上方を覆う屋根部材が、鉛直方向で最上に位置せしめられた前記上側支持腕部によって支持されて設けられている前記請求項１７に記載の片梁式の長尺物用載架台。
【考案の詳細な説明】
【技術分野】
【０００１】
本考案は、棚体の構造およびそれを用いて構成されて、長尺物を載置状態で保管等することの出来る片梁式の長尺物用載架台に関するものである。
【背景技術】
【０００２】
従来から、例えば木材や鋼管、形鋼等の如き長尺物を保管等するために、片梁式の長尺物用載架台が用いられている。例えば特許文献１や特許文献２に記載のものがそれである。かかる片梁式の長尺物用載架台は、一般的に、水平方向で互いに平行に延びる複数の支持アームが上下方向で適当な間隔を空けて複数設けられており、支持アームの突出方向（前方）および突出方向に直交する両方向（左右方向）に大きく開口せしめられた構造とされている。
【０００３】
このような片梁式の長尺物用載架台に長尺物を載置する際には、フォークリフトなどで長尺物を載架台の前方の開口部から差し入れて支持アームの上方に位置せしめた後に、長尺物を支持するフォークリフトのパレットを支持アームの間を通して支持アームよりも下方に下降せしめることによって、長尺物を支持アームに移し換えて、同じ高さに位置する複数の支持アームに掛け渡して載置するようになっている。そこにおいて、片梁式の長尺物用載架台によれば、前方および左右方向に大きく開口せしめられていることから、このような長尺物の収容及び取出しが容易に行えるようになっている。そして、高さ位置が異ならされた各支持アームのそれぞれに長尺物を載置することによって、多数の長尺物を良好なスペース効率をもって保管等することが出来る。
【０００４】
ところが、これら従来構造に従う長尺物用載架台は、大型であることから設置に手間を要した。更に、一度設置してしまうと、移設することが困難であって、例えば倉庫内のレイアウト変更等に柔軟に対応することが困難であった。また、収容する長尺物が短いものであったり、少量である場合、更には、収容すべき長尺物が存しない非使用時でも載架台が常に大きなスペースを占めてしまうという問題を有していた。
【０００５】
【特許文献１】実開昭５３−１０８４２５号公報
【特許文献２】特開平１０−３５８３９号公報
【考案の開示】
【考案が解決しようとする課題】
【０００６】
ここにおいて、本考案は上述の如き事情を背景として為されたものであって、その解決課題とするところは、容易に設置することが出来ると共に、長尺物の長さや量に応じてその大きさが調節可能であり、更に、非使用時には占有スペースをより小さくすることの出来る片梁式の長尺物用載架台を、簡易な構造をもって少ない製造コストで実現することの出来る、新規な構造の棚体を提供することにある。
【０００７】
さらに、本考案は、そのような棚体を用いて構成される、新規な構造の片梁式の長尺物用載架台を提供することも、目的とする。
【課題を解決するための手段】
【０００８】
以下、このような課題を解決するために為された本考案の態様を記載する。なお、以下に記載の各態様において採用される構成要素は、可能な限り任意の組み合わせで採用可能である。また、本考案の態様乃至は技術的特徴は、以下に記載のものに限定されることなく、明細書全体および図面に記載され、或いはそれらの記載から当業者が把握することの出来る考案思想に基づいて認識されるものであることが理解されるべきである。
【０００９】
請求項１に記載の考案の特徴とするところは、水平方向に直線状で互いに平行に延びる一対の下側支持腕部と、該下側支持腕部の鉛直上方で該下側支持腕部と平行に延びる上側支持腕部が、これら下側支持腕部及び上側支持腕部の延出方向に対する直交方向に延びる連結体で連結された基本構造を有しており、該下側支持腕部及び該上側支持腕部が該連結体による連結部分からの延び出し方向で相互に独立して突出せしめられて、該下側支持腕部及び該上側支持腕部で囲まれた囲繞領域が、それら各支持腕部の延出方向で開放されていると共に、隣り合う各支持腕部間においても開放されており、それら各支持腕部の延出方向における該囲繞領域の開放方向が互いに同じ水平方向となるようにして、複数を積み重ねて設置可能とされている棚体にある。
【００１０】
かかる請求項１記載の考案に係る棚体においては、複数の棚体を水平方向に並べたり、鉛直方向に積み重ねることによって、上側支持腕部および下側支持腕部を支持アームとして用いた載架台を構成することが出来る。そして、上側支持腕部および下側支持腕部が相互に独立して突出せしめられている、即ち、各支持腕部は、連結体からの延出部分においてその全長が拘束されていない独立した片持梁構造（片端支持構造）を有しており、突出先端部が何れも自由端とされていることから、これら各支持腕部を支持アームとする片梁式の載架台を構成することが出来て、長尺物の保管等に適した長尺物用載架台を構成することが出来る。
【００１１】
そこにおいて、本考案に係る棚体を用いれば、長尺物用載架台を各棚体単位に分割して取り扱うことが出来ることから、長尺物用載架台の設置や移設を容易に行うことが出来る。また、これら棚体の水平方向に並べる数を調節することによって、支持アームによって構成される棚段の大きさ（水平方向の長さ寸法）を適宜に変更設定することが出来ると共に、棚体の積み重ね数を調節することによって、棚段の数（鉛直方向の棚段数）を適宜に変更設定することが出来る。これにより、収容すべき長尺物の大きさや数に応じて、長尺物用載架台の大きさを調節することも可能とされている。更に、収容すべき長尺物の存しない非使用時には、各棚体を互いに嵌まり合うように重ね合わせる（ネスティングする）ことも可能であり、非使用時の占有スペースを大幅に低減することが出来る。
【００１２】
そして、本考案に係る棚体は、少ない部品点数と極めて簡易な構造を有することから、収容すべき長尺物の長さや量に応じてその大きさを変更設定可能な片梁式の長尺物用載架台を、少ない製造コストで実現することが可能となる。
【００１３】
請求項２に記載の本考案の特徴とするところは、請求項１に記載の棚体において、前記上側支持腕部及び前記下側支持腕部が、同じ規格の鋼材を用いて形成されていることにある。
【００１４】
ここにおいて、同じ規格の鋼材とは、断面の形状および寸法が等しい鋼材を言う。かかる請求項２記載の考案に係る棚体においては、棚体を製造するに際して準備すべき鋼材の種類を低減出来ることから、部品点数をより少なくして、製造コストを更に低減することが出来る。
【００１５】
請求項３に記載の本考案の特徴とするところは、請求項２に記載の棚体において、前記連結体が、前記上側支持腕部及び前記下側支持腕部と同じ規格の鋼材を用いて形成されていることにある。
【００１６】
ここにおいて、同じ規格の鋼材とは、断面の形状および寸法が等しい鋼材を言う。かかる請求項３記載の考案に係る棚体においては、上側支持腕部および下側支持腕部に加えて、連結体も同じ規格の鋼材から形成することが可能であり、更なる製造コストの低減を図ることが出来る。
【００１７】
請求項４に記載の本考案の特徴とするところは、請求項１乃至３の何れか一項に記載の棚体において、前記上側支持腕部及び前記下側支持腕部のそれぞれにおいて、設置状態下での鉛直方向両側面が何れも水平方向に広がる平坦面とされていることにある。
【００１８】
かかる請求項４記載の考案に係る棚体においては、地面や床などで構成された設置面への設置や棚体の積み重ねを容易に行うことが出来る。また、各棚段において長尺物の載置面を構成する上下の支持腕部の上面が平坦面とされることにより、長尺物への当接面積を大きく確保することも可能となる。
【００１９】
請求項５に記載の本考案の特徴とするところは、請求項１乃至４の何れか一項に記載の棚体において、前記下側支持腕部が、前記連結体との連結部分から前記囲繞領域の形成側と反対側に向かって延長されていることにより後方突出部が形成されていることにある。かかる請求項５記載の考案に係る棚体においては、後方突出部の接地面への当接反力に基づいて、棚体の後方側への転倒に対する抵抗力が効果的に発揮されて、棚体の設置安定性の更なる向上が図られ得る。
【００２０】
請求項６に記載の本考案の特徴とするところは、請求項１乃至５の何れか一項に記載の棚体において、前記連結体が前記上側支持腕部の端部に連結されることによって、該上側支持腕部が該連結体による連結部分から水平方向一方向に延び出しており、該連結部分に対する一方の側に前記囲繞領域が形成されていることにある。
【００２１】
かかる請求項６記載の考案に係る棚体においては、上側支持腕部と下側支持腕部を連結体から一方向に延び出させることによって、これら各支持腕部で囲まれた囲繞領域が各支持腕部の延出方向で一方向に開放せしめられた片梁式の長尺物用載架台を構成することが出来る。特に、連結体を下側支持腕部の基端部に連結すれば、上側支持腕部と下側支持腕部を連結体から一方向のみに延び出させることが出来て、倉庫の竪壁面などに対して連結体を隙間無く設置することにより、上下の支持腕部によって構成される片梁式の棚段を竪壁面から突出する状態としてスペース効率の向上が図られ得る。
【００２２】
請求項７に記載の本考案の特徴とするところは、請求項１乃至５の何れか一項に記載の棚体において、前記上側支持腕部及び前記下側支持腕部が前記連結体による連結部分から水平方向両側に延び出しており、該連結部分に対する両方の側に前記囲繞領域が形成されていることにある。
【００２３】
かかる請求項７記載の考案に係る棚体においては、各支持腕部で囲まれた囲繞領域がこれら支持腕部の延出方向で連結体から両方向に開放せしめられた片梁式の長尺物用載架台を構成することが出来る。要するに、片梁式の長尺物用載架台を、一つの連結体を挟んで背中合わせに二つ、互いに反対側に向かって突出する支持腕部によって形成され得るのである。これにより、連結体からの支持腕部の自由長（突出長さ）を小さく抑えて耐強度を確保しつつ、大きな載置面積を、小さなスペース効率で形成することが可能となり、多くの長尺物を収容可能とした載荷台をより効率的に形成することが可能となる。
【００２４】
請求項８に記載の本考案の特徴とするところは、請求項１乃至７の何れか一項に記載の棚体において、互いに積み重ねられて設置される際に、下段側の前記上側支持腕部と上段側の前記下側支持腕部とを互いに連結する連接部材が組み合わされていることにある。かかる請求項８記載の考案に係る棚体においては、複数の棚体の積み重ね状態をより安定して維持することが出来る。
【００２５】
請求項９に記載の本考案の特徴とするところは、請求項８に記載の棚体において、互いに積み重ねられて設置される際に、前記下段側の前記上側支持腕部と前記上段側の前記下側支持腕部とが、それらの延出方向における複数箇所において、前記連接部材によって連結されるようになっていることにある。かかる請求項９記載の考案に係る棚体においては、上側支持腕部と下側支持腕部が複数箇所で連結されることから、棚体の積み重ね状態をより安定して維持することが出来る。特に好適には、上側支持腕部における連結体からの延出方向の基端部と先端部が下側支持腕部に連結されることとなり、これによって上下段の棚体の連結強度を一層効率的に確保することが可能となると共に、上段棚体の下側支持腕部によって構成される棚段の耐荷重強度を、該下側支持腕部に対して連結された下段棚体の上側支持腕部によって補強することが可能となり、棚段の耐荷重強度の向上も図られ得る。
【００２６】
請求項１０に記載の本考案の特徴とするところは、請求項８又は９に記載の棚体において、前記連接部材が、前記下段側の前記上側支持腕部が下方から嵌め入れられて該上側支持腕部を延出方向に直交する幅方向両側から水平方向に挟む一対の下方突出壁部を有する下側嵌合部と、前記上段側の前記下側支持腕部が上方から嵌め入れられて該下側支持腕部を延出方向に直交する幅方向両側から水平方向に挟む一対の上方突出壁部を有する上側嵌合部とを備えている一方、該連接部材を該下段側の該上側支持腕部と該上段側の該下側支持腕部との少なくとも一方に対して固定するボルト等の固定手段が設けられていることにある。
【００２７】
かかる請求項１０記載の考案に係る棚体においては、連接部材を上側支持腕部と下側支持腕部のそれぞれに嵌め合わせることによって、上側支持腕部と下側支持腕部への連接部材の連結を容易に行うことが出来る。そして、上側支持腕部と下側支持腕部それぞれの延出方向の左右両側を上方突出壁部と下方突出壁部で挟むことによって、連接部材のこれら各支持腕部に対する延出方向に直交する方向の相対変位量を制限することが出来て、延いては上側支持腕部と下側支持腕部の延出方向に直交する方向の相対変位量を制限することが出来る。更に、連接部材を下段の上側支持椀部と上段の下側支持椀部の少なくとも一方に対してボルト等の固定手段で固定することによって連接部材に対する上側支持椀部乃至は下側支持腕部の延出方向の変位量も制限することが出来て、上側支持腕部と下側支持腕部の連結状態を高度に維持することが出来る。なお、上方突出壁部および下方突出壁部は、上側支持腕部と下側支持腕部を接触状態で挟んでも良いし、隙間を隔てた非接触状態で挟んでいても良い。
【００２８】
請求項１１に記載の本考案の特徴とするところは、請求項１乃至１０の何れか一項に記載の棚体において、前記下側支持腕部と前記上側支持腕部が、各一対ずつ、それら下側支持腕部及び上側支持腕部の延出方向視において矩形の各頂点にそれぞれ配設されていると共に、それぞれ鉛直方向上下で対向位置せしめられた該上側支持腕部と該下側支持腕部の間に跨がってそれぞれ鉛直方向に延びる一対の鉛直連結部と、それら一対の鉛直連結部間に跨がってそれぞれ水平方向に延びる上下一対の水平連結部とを含んで、前記連結体が構成されていることにある。
【００２９】
かかる請求項１１記載の考案に係る棚体においては、上側支持腕部と下側支持腕部を連結する連結体が鉛直方向に延びていることから、上方に棚体が積み重ねられた際に及ぼされる鉛直方向の荷重が連結体の主軸方向に圧縮荷重として作用することとなって部材の耐荷重強度の向上が図られ得る。また、一対の上側支持腕部の水平方向の離隔距離と一対の下側支持腕部の水平方向の離隔距離が等しいことから、棚体の積み重ねを容易に行うことも出来る。更に、上側支持腕部が一対設けられていることから、これら上側支持腕部によって長尺物の棚段を形成することも可能であり、例えば２つの棚体を上下に積み重ねたのみで、下方に位置する棚体の下側支持腕部と、上方に位置する棚体の下側支持腕部および上側支持腕部で、鉛直方向に３つの棚段を形成することが出来る。
【００３０】
ここにおいて、一対の鉛直連結部を相互に連結する一対の水平連結部は、各鉛直連結部の長さ方向中間部分を連結するように設けられることが望ましい。それにより、非使用時に複数の棚体を重ね合せ（ネスティング）て収納するに際し、一つの棚体の水平連結部の下方に別の棚体の下側支持腕部の一つを通すことが出来て、占有スペースをより小さくして収納効率の向上が図られ得る。
【００３１】
請求項１２に記載の本考案の特徴とするところは、請求項１乃至１０の何れか一項に記載の棚体において、一対の前記下側支持腕部と一つの前記上側支持腕部が、これら下側支持腕部及び上側支持腕部の延出方向視において二等辺三角形の各頂点にそれぞれ配設されていると共に、該上側支持腕部とそれぞれの該下側支持腕部との間に跨がって直線的に延びる一対の傾斜連結部によって前記連結体が構成されており、該下側支持腕部及び該上側支持腕部の延出方向視において該連結体が鉛直下方に向かって広がる逆Ｖ字形状とされていることにある。
【００３２】
かかる請求項１２記載の考案に係る棚体においては、上側支持腕部から及ぼされる荷重を一対の下側支持腕部で分担支持することが出来て、耐荷重強度を有利に確保することが出来る。また、一方の棚体の下側支持腕部の間に他方の棚体の下側支持腕部の一つを入れることによって、ネスティングも容易に行うことが出来る。
【００３３】
請求項１３に記載の本考案の特徴とするところは、請求項１乃至１０の何れか一項に記載の棚体において、一対の前記下側支持腕部と一つの前記上側支持腕部が、これら下側支持腕部及び上側支持腕部の延出方向視において二等辺三角形の各頂点にそれぞれ配設されていると共に、該上側支持腕部とそれぞれの該下側支持腕部との間に跨がって直線的に延びる一対の傾斜連結部と、一対の該下側支持腕部の間に跨がって直線的に延びる水平連結部とによって前記連結体が構成されており、該下側支持腕部及び該上側支持腕部の延出方向視において該連結体が二等辺三角形状とされていることにある。
【００３４】
かかる請求項１３記載の考案に係る棚体においては、連結体で三角形状が形成されており、上側支持腕部と下側支持腕部が何れにおいても他の２つの支持腕部に連結されていることによって、より優れた耐荷重強度を得ることが出来る。そこにおいて、一対の下側支持腕部を連結する連結体の下面は、下側支持腕部の下面と等しく位置せしめられることが好ましい。このようにすれば、下側支持腕部とこれらを連結する連結体とによって棚体の底面をより大きく形成することが出来て、より安定した設置を行うことが出来る。
【００３５】
請求項１４に記載の本考案の特徴とするところは、請求項１乃至１０の何れか一項に記載の棚体において、一対の前記下側支持腕部と一つの前記上側支持腕部が、これら下側支持腕部及び上側支持腕部の延出方向視において二等辺三角形の各頂点にそれぞれ配設されていると共に、一対の該下側支持腕部の間に跨がって直線的に延びる水平連結部と、該上側支持腕部から鉛直下方に直線的に延びて該水平連結部の長さ方向中央に連結される鉛直連結部とによって前記連結体が構成されており、該下側支持腕部及び該上側支持腕部の延出方向視において該連結体が逆Ｔ字形状とされていることにある。
【００３６】
かかる請求項１４記載の考案に係る棚体においては、上側支持腕部を連結する連結アームが鉛直方向に延びることによって、積み重ねられた棚体から及ぼされる鉛直方向の荷重に対して良好な強度を得ることが出来る。また、本棚体においても、一対の下側支持腕部を連結する連結体の下面と下側支持腕部の下面を等しく位置せしめれば、棚体の底面をより大きく形成することが出来て、より安定して設置することが出来る。
【００３７】
請求項１５に記載の本考案の特徴とするところは、請求項１乃至１０の何れか一項に記載の棚体において、前記下側支持腕部と前記上側支持腕部が、各一対ずつ、それら下側支持腕部及び上側支持腕部の延出方向視において矩形の各頂点にそれぞれ配設されていると共に、それぞれ鉛直方向上下で対向位置せしめられた該上側支持腕部と該下側支持腕部の間に跨がってそれぞれ鉛直方向に延びる一対の鉛直連結部と、該一対の下側支持腕部間と該一対の上側支持腕部間との何れか一方の間に跨がって水平方向に延びる水平連結部によって前記連結体が構成されており該下側支持腕部及び該上側支持腕部の延出方向視において該連結体が上方と下方の何れか一方に開口するコの字形状とされていることにある。
【００３８】
かかる請求項１５記載の考案に係る棚体においては、前記請求項１１記載の考案に係る棚体と略同様に、上側支持腕部と下側支持腕部を連結する連結体が鉛直方向に延び出されることから、鉛直方向の荷重に対する良好な耐荷重強度を得ることが出来ると共に、積み重ねが容易であり、更に、一対の上側支持腕部を用いて長尺物の棚段を形成することも出来る。
【００３９】
請求項１６に記載の本考案の特徴とするところは、請求項１乃至１０の何れか一項に記載の棚体において、一対の前記下側支持腕部と一対の前記上側支持腕部が、これら下側支持腕部及び上側支持腕部の延出方向視において下底が上底よりも大きい台形の各頂点にそれぞれ配設されていると共に、隣り合う各支持腕部間に跨がって直線的に延びる計４本の連結部によって前記連結体が構成されており、該下側支持腕部及び該上側支持腕部の延出方向視において該連結体が台形状とされていることにある。
【００４０】
かかる請求項１６記載の考案に係る棚体においては、上側支持腕部と下側支持腕部が、何れも、他の支持腕部の２つに連結されることから、良好な耐荷重強度を得ることが出来る。また、下底が上底よりも大きくされていることから、安定して設置することが出来る。
【００４１】
請求項１７に記載の本考案の特徴とするところは、互いに所定距離を隔てて並設されて水平方向で平行に延びる複数本の支持アームによって構成されてそれら複数本の支持アーム間に跨がって長尺物を載置せしめるようにした棚段が、鉛直方向で所定距離を隔てて複数段設けられてなる多段構造をもった片梁式の長尺物用載架台において、
請求項１乃至１６の何れか一項に記載の棚体の複数が水平方向及び鉛直方向の少なくとも一方に並べられることによって構成されており、該棚体の前記上側支持腕部及び前記下側支持腕部の少なくとも一方が前記支持アームとして用いられている片梁式の長尺物用載架台にある。
【００４２】
かかる請求項１７記載の考案に係る片梁式の長尺物用載架台においては、複数の棚体を水平方向に並べたり、鉛直方向に積み重ねたりすることによって構成されていることから、設置や移設を容易に行うことが出来る。そして、棚体の個数および配列方向を調節することによって、長尺物を載置する棚段の大きさおよび数を調節することが出来る。これにより、収容すべき長尺物の大きさに応じて載架台の大きさを変更設定することが出来て、優れたスペース効率を得ることが出来る。また、非使用時には、各棚体に分割して、これら棚体をネスティング出来ることから、小さなスペースに収容することも出来る。
【００４３】
請求項１８に記載の本考案の特徴とするところは、請求項１７に記載の片梁式の長尺物用載架台において、前記棚段の上方を覆う屋根部材が、鉛直方向で最上に位置せしめられた前記上側支持腕部によって支持されて設けられていることにある。
【００４４】
かかる請求項１８記載の考案に係る片梁式の長尺物用載架台においては、屋根部材を設けたことから、屋外で使用した場合にも、収容した長尺物を風雨や日射等から保護することが出来る。なお、屋根部材としては、硬質の部材に限定されるものではなく、例えばビニールシートなどの変形容易なものでも良い。
【考案の効果】
【００４５】
上述の説明から明らかなように、本考案に従う構造とされた棚体においては、少ない部品点数と極めて簡易な構造によって、長尺物の一つの載荷段における載荷長さや、載荷棚の段数などを大きな自由度をもって容易に且つ速やかに設定したり変更したりすることの出来る、片梁式の長尺物用載架台を得ることが可能とされる。そして、かかる棚体を用いた片梁式の長尺物用載架台においては、設置や移設を容易に行なうことが出来る。更に、収容すべき長尺物の大きさや数に応じて大きさを変更したり、非使用時には各棚体に分割してこれら棚体を重ね合わせ（ネスティング）出来ることから、優れたスペース効率を得ることも可能となるのである。
【考案を実施するための最良の形態】
【００４６】
以下、本考案を更に具体的に明らかにするために、本考案の実施形態について、図面を参照しつつ、詳細に説明する。
【００４７】
先ず、図１〜２に、本考案の第一の実施形態としての片梁式の長尺物用載架台に係るラック１０を示す。なお、以下の説明において、上下方向および左右方向とは、特に断りのない限り、図１中の上下方向および左右方向をいい、前後方向とは、図２中の左右方向をいい、図２中の右方向を前方というものとする。
【００４８】
ラック１０は、鉛直方向成分をもって延びる鉛直連結部としての支柱１２に対して、水平方向に延び出す上下の支持腕部としての複数の支持アーム１４が設けられた構造とされており、同じ高さに位置せしめられた支持アーム１４の複数に掛け渡されるようにして、例えば木材や鋼管、形鋼等の長尺物１６が載置されることによって、長尺物１６を保管等することが可能とされている。
【００４９】
かかるラック１０は、複数（本実施形態においては、２つ）の棚体１８を組み合わせることによって構成されている。図３〜図９に、本考案の第一の実施形態に係る棚体１８を示す。なお、図３は斜視図、図４は正面図、図５は背面図、図６は上面図、図７は底面図、図８は右側面図、図９は左側面図である。
【００５０】
棚体１８は、一対の上側支持腕部としての上アーム２０それぞれの鉛直下方に、一対の下側支持腕部としての下アーム２２が位置せしめられて、これら上下アーム２０，２２が柵体１８の正面視において四角形の各頂点に位置せしめられている。そして、上アーム２０のそれぞれが、鉛直下方に位置せしめられた下アーム２２に対して、鉛直方向に延びる鉛直連結部としての上下連結アーム２４で互いに連結されると共に、これら一対の上下連結アーム２４が、水平方向に延びる一対の水平連結部としての左右連結アーム２６で連結されることによって、正面視において四角形状を有している。要するに、本実施形態では、上下及び左右の連結アーム２４，２６によって連結体が構成されており、この連結体によって、４本の上下アーム２０，２０，２２，２２が相互に連結固定されて実質的に一体的な剛体構造体とされることにより一つの棚体１８が構成されているのである。
【００５１】
より詳細には、上下アーム２０，２２はそれぞれ、略一定の断面形状をもってストレートに延びる形状とされている。これら上下アーム２０，２２は、好適には、例えばＩ形鋼、Ｈ形鋼、チャンネル等の鋼材から形成される。特に本実施形態においては、上下アーム２０，２２は互いに同じ規格のＨ形鋼から形成されており、互いに等しいＨ字状の断面形状を有している。なお、上アーム２０の長手方向寸法は、下アーム２２の長手方向寸法よりもやや小さくされている。
【００５２】
上述の如き一対の下アーム２２が、水平方向で所定距離を隔てて直線状に互いに平行に配設されると共に、これら一対の下アーム２２と所定距離を隔てた上方において、水平方向で所定距離を隔てて直線状に互いに平行に配設された一対の上アーム２０が下アーム２２と平行に配設されることによって、上下アーム２０，２２が、正面視において四角形の各頂点に配設される。ここにおいて、後述する棚体１８の積み重ねの容易性や、棚体１８を積み重ねたり長尺物１６を載置した際に上アーム２０から上下連結アーム２４を介して両下アーム２２に及ぼされる荷重バランス等を考慮して、上下アーム２０，２２は、正方形の各頂点に配設されることが好ましく、本実施形態においては、上下アーム２０、２２は、略正方形の各頂点に配設されている。
【００５３】
そして、鉛直方向で上下に位置せしめられた上アーム２０と下アーム２２が、それぞれ、上下連結アーム２４で連結される。上下連結アーム２４は、略一定の断面形状をもってストレートに延びる形状とされており、好適には、例えばＩ形鋼、Ｈ形鋼、チャンネル等の鋼材から形成される。特に本実施形態においては、上下連結アーム２４は上下アーム２０，２２と同じ規格のＨ形鋼から形成されており、上下アーム２０，２２と等しいＨ字状の断面形状を有している。
【００５４】
そして、かかる上下連結アーム２４の端部の一方が上アーム２０の端部に溶接等で固着されると共に、他方が下アーム２２の端部に溶接等で固着されている。なお、上下連結アーム２４は、Ｈ字形状とされた断面の一方の平坦面を上下アーム２０，２２に重ね合わせて固着されている。また、上下連結アーム２４は、長手方向両端縁部のそれぞれが、上アーム２０の上端縁部と下アーム２２の下端縁部のそれぞれに揃えられて上下アーム２０，２２に固着されている。更にまた、上下アーム２０，２２は、Ｈ字形状とされた断面の平坦面を上下方向に向けた状態で上下連結アーム２４に固着されている。これにより、上アーム２０と下アーム２２が、これら上下アーム２０，２２の延び出し方向に直交する方向に延びる上下連結アーム２４で互いに連結されている。
【００５５】
さらに、これら一対の上下連結アーム２４が、一対の左右連結アーム２６で連結されている。左右連結アーム２６は、略一定の断面形状をもってストレートに延びる形状とされており、好適には、例えばＩ形鋼、Ｈ形鋼、チャンネル等の鋼材から形成される。特に本実施形態においては、左右連結アーム２６はチャンネルから形成されており、コの字状の断面形状を有している。
【００５６】
そして、かかる左右連結アーム２６の一対が、上下方向で所定距離を隔てて、長手方向を水平方向に向けた互いに平行とされた状態で配設されて、長手方向両端部に、上下連結アーム２４が溶接等により固着される。ここにおいて、上方に位置せしめられた左右連結アーム２６は上アーム２０よりも下方で上下連結アーム２４に固着されていると共に、下方に位置せしめられた左右連結アーム２６は下アーム２２よりも上方で上下連結アーム２４に固着されている。これにより、一対の上下連結アーム２４が左右連結アーム２６で互いに連結される。
【００５７】
これら鉛直方向に延びる一対の上下連結アーム２４と、水平方向に延びる一対の左右連結アーム２６によって、正面視において略正方形状の基本構造を有する棚体１８が形成されている。これにより、棚体１８は、一対の下アーム２２が水平方向に所定距離を隔てて、直線状で互いに平行に延び出すと共に、これら下アーム２２の鉛直上方に、下アーム２２と平行に延びる上アーム２０を備えており、これら上下アーム２０、２２が、上下アーム２０，２２の延出方向に対する直交方向に延びる一対の上下連結アーム２４および一対の左右連結アーム２６で互いに連結された構造とされている。
【００５８】
そして、上下アーム２０，２２が上下連結アーム２４との連結部分からの延出方向先端部が自由端とされて互いに独立して突出せしめられており、上下連結アーム２４から水平方向の一方向に突出せしめられている。これにより、上アーム２０と下アーム２２で囲まれた状態で立方体形状として観念される囲繞領域が、上下アーム２０，２２の延出方向で前方に向かって開放されている。しかも、かかる囲繞領域は、鉛直方向又は水平方向で隣り合う各二つのアーム２０，２０，２２，２２間においても、正面視における左右方向および上下方向で実質的に全体に亘って開放されている。しかも、これら左右方向および上下方向での開放面は、各アーム２０，２０，２２，２２における連結体からの突出長さの全長に亘って連続した全体面とされているのである。なお、本実施形態においては、上下アーム２０，２２が上下連結アーム２４から水平方向の一方向に突出せしめられていることから、かかる囲繞領域は、上下アーム２０，２２における上下連結アーム２４の接続部分に対して一方の側に形成されている。
【００５９】
また、下アーム２２および上下連結アーム２４には、下アーム２２および上下連結アーム２４の延出方向に直交して左右方向に貫通するボルト挿通孔２７が形成されている。ボルト挿通孔２７は、下アーム２２における延出方向先端部からやや内方の位置と、上下連結アーム２４の下端部において、互いに棚体１８の下端縁部から等しい高さ位置に形成されている。
【００６０】
なお、棚体１８の大きさや、棚体１８を構成する上下アーム２０，２２および連結アーム２４、２６の断面の寸法や長さ寸法、上下アーム２０，２２の離隔寸法などは、何等限定されるものではないが、例えば本実施形態においては、上アーム２０は長さ＝１，０００ｍｍ、断面のタテ×ヨコ＝１５０×７５ｍｍ、下アーム２２は長さ＝１，１５０ｍｍ、断面のタテ×ヨコ＝１５０×７５ｍｍ、上下連結アーム２４は、長さ＝１，３００ｍｍ、断面のタテ×ヨコ＝１５０×７５ｍｍ、左右連結アーム２６は、断面のタテ×ヨコ＝７５×４０ｍｍとされている。そして、棚体１８の上下寸法＝１，３００ｍｍ、左右寸法＝１，０７５ｍｍ、前後寸法＝１，３００ｍｍとされている。なお、ボルト挿通孔２７はφ１２ｍｍとされており、棚体１８の下端縁部から６０ｍｍ上方の位置で、下アーム２２における前端縁部から３００ｍｍ内方の位置と、上下連結アーム２４における後端縁部から７５ｍｍ内方に位置せしめられている。
【００６１】
そして、このような構造とされた棚体１８が複数組み合わされることによって、ラック１０が構成されている。本実施形態におけるラック１０は一対の棚体１８を組み合わせて構成されており、床面や地面などで構成された設置面上に載置された一方の棚体１８の上アーム２０に対して、他方の棚体１８の下アーム２２が、連結アーム２４からの延び出し方向を互いに等しくして上方から積み重ねられて構成されている。
【００６２】
そこにおいて、下方に位置する棚体１８の上アーム２０と、上方に位置する棚体１８の下アーム２２は、図１０に示すように、連接部材としての連結金具３０を介して互いに固定されている。連結金具３０は、例えば鉄等の剛性材から形成されており、所定幅寸法を有する板状部３２の長手方向両端部に下方に突出する一対の下方突出壁部としての下側壁部３４と上方に突出する一対の上方突出壁部としての上側壁部３６が一体形成されたＨ字形状の断面を有している。なお、下側壁部３４および上側壁部３６の対向面間距離は、棚体１８における上下アーム２０、２２の左右方向寸法よりも僅かに大きくされている。これにより、連結金具３０は、一対の下側壁部３４によって形成された下方に開口する下側嵌合部としての下方開口部３８を有すると共に、一対の上側壁部３６によって形成された上方に開口する上側嵌合部としての上方開口部４０を有している。なお、一対の上側壁部３６のそれぞれには、厚さ方向に貫通する挿通孔４２が同軸上に形成されている。
【００６３】
このような構造とされた連結金具３０の一対が、積み重ね状態において下方に位置せしめられる棚体１８の上アーム２０を下方開口部３８に嵌め入れるようにして、かかる棚体１８の上アーム２０上に重ね合わされた後に、連結金具３０の上方から、積み重ね状態において上方に位置せしめられる棚体１８の下アーム２２が上方開口部４０に嵌め入れられる。なお、一対の連結金具３０は、それぞれ、上アーム２０における上下連結アーム２４との連結部分および上下連結アーム２４からの延出方向の先端部分に位置せしめられる。そして、下アーム２２に貫設されたボルト挿通孔２７と上側壁部３６に貫設された挿通孔４２が重ね合わされて、これら両挿通孔２７，４２に固定手段としての固定ボルト４４が挿通されてナット４６で固定されることによって、下アーム２２が上側壁部３６に固定される。なお、下方開口部３８に嵌め入れられた上アーム２０は、Ｈ字形状とされた断面の平坦面が板状部３２の下面と重ね合わせられる一方、上方開口部３６に嵌め入れられた下アーム２２は、Ｈ字形状とされた断面の平坦面が板状部３２の上面と重ね合わせられた状態で連結金具３０に固定されている。
【００６４】
このように、下方に位置する棚体１８の上アーム２０に対して、上方に位置する棚体１８の下アーム２２が、連結金具３０を介して上下方向で互いの平坦面を対向位置せしめた状態で積み重ねられている。かかる連結金具３０を介した積み重ね状態において、上アーム２０は、延出方向に直交する左右両側が下側壁部３４で挟まれる一方、下アーム２０は、延出方向に直交する左右両側が上側壁部３６で挟まれる。これにより、上下アーム２０，２２それぞれの連結金具３０に対する左右方向の相対変位を制限して、上側に位置する棚体１８の下アーム２２の、下方に位置する棚体１８の上アーム２０との重ね合わせ状態を安定して維持することが出来る。
【００６５】
特に下アーム２０においては、上側壁部３６と下アーム２０を通じて固定ボルト４４が挿通されていることによって、下アーム２０の連結金具３０に対する前後方向の相対変位も防ぐことが出来る。
【００６６】
このようにして、複数の棚体１８が組み合わされてラック１０が構成されており、棚体１８の上下連結アーム２４によって支柱１２が構成されていると共に、上方に位置せしめられた棚体１８の上アーム２０と下アーム２２、および下方に位置せしめられた棚体１８の下アーム２２によって支持アーム１４が構成されている。かかる組み合わせ状態において、複数（本実施形態においては、一対）の上アーム２０および下アーム２２が高さ位置を等しくして互いに平行に位置せしめられるようになっており、高さ位置が互いに等しくされた複数の上下アーム２０，２２によって長尺物１６を載置可能な棚段４８が形成される。本実施形態においては、上方に配設された棚体１８の一対の上アーム２０によって棚段４８ａが、かかる棚体１８の一対の下アーム２２によって棚段４８ｂが、および下方に配設された棚体１８の一対の下アーム２２によって棚段４８ｃが形成されており、ラック１０は、上下方向で所定距離を隔てた３つの棚段４８ａ乃至４８ｃを有している。
【００６７】
このような構造とされたラック１０は、上下アーム２０，２２が側面視において上下連結アーム２４に対して基端部のみで相互に連結されており、相互に独立して突出形成されていることから、上下左右及び前方の何れにも大きく開口する片梁式の長尺物用載架台とされている。これにより、長尺物１６をフォークリフト等を用いて棚段４８から容易に出し入れすることが可能とされていると共に、上下アーム２０，２２が左右方向で所定間隔を隔てて配設されていることから、長尺物１６の棚段４８への載置および棚段４８からの取り出しに際して、フォークリフトのパレットを上下アーム２０，２２の間を通して上下動させることも可能とされる。これにより、長尺物１６の保管および積み降ろしに好適に用いることが出来る。
【００６８】
そこにおいて、本実施形態におけるラック１０は、棚体１８の数や、棚体１８の配設態様を異ならせることによって、棚段４８の数および大きさを自由に調節することが出来る。例えば、載置すべき長尺物１６が多量である場合には、棚体１８を多数積み重ねることによって、棚段４８の数を増やすことが出来ると共に、載置すべき長尺物１６の長さ寸法が大きい場合には、棚体１８を同じ高さ位置で左右方向により多く並べることによって、棚段４８の長さ寸法を大きくすることが出来る。これにより、載置すべき長尺物１６の数や大きさに応じてラック１０の大きさを調節することが出来て、優れたスペース効率を得ることが出来る。
【００６９】
さらに、特に本実施形態においては、棚体１８における上下アーム２０，２２が、正面視において略正方形の各頂点に配設されており、上アーム２０と下アーム２２が鉛直上下方向で並んで位置せしめられて、鉛直方向に延びる上下連結アーム２４で連結されている。これにより、上アーム２０上に棚体１８や長尺物１６を載置した場合に、上アーム２０に及ぼされる荷重に対する強度を有利に確保することが出来る。また、棚体１８が全体として略立方体形状とされていることによって、鉛直方向での積み重ねや水平方向での配列を容易に行うことが出来る。
【００７０】
さらに、棚体１８に上アーム２０が一対設けられることによって、下アーム２２に加えて上アーム２０で棚段４８を構成することが出来て、棚段４８をより多く形成することが可能とされている。なお、そこにおいて、最上位に位置する上アーム２０の上方には下アーム２２における上下連結アーム２４のように上方に延び出して長尺物１６の後方への落下を阻止し得る部材が存しないことから、上アーム２０に載置せしめた長尺物１６の後方への落下が懸念されるような場合には、例えば、最上位に位置する上アーム２０の後端部寄りの適当な箇所に、上方に突出して長尺物１６を係止して上アーム２０からの落下を阻止する係止部材を設ける等しても良い。
【００７１】
そして、収容すべき長尺物１６が存しない場合には、図１１および図１２に示すように、複数の棚体１８を互いに嵌まり合うように重ね合わせる（ネスティングする）ことが可能とされている。本実施形態においては、左右連結アーム２６が下アーム２２よりも上方に位置せしめられていることから、例えば一対の棚体１８を上下アーム２０，２２の上下連結アーム２４からの突出方向を揃えて同一平面上に載置した状態で、一方の棚体１８における一対の下アーム２２，２２の間に他方の棚体１８の下アーム２２の一方を入れることによって重ね合わせ可能とされている。これにより、非使用時には複数の棚体１８が占めるスペースを大幅に減少せしめることが出来る。
【００７２】
以上、本考案の一実施形態について詳述してきたが、これはあくまでも例示であって、本考案は、かかる実施形態における具体的な記載によって、何等、限定的に解釈されるものではなく、例えば以下に例示する各実施形態の如き構造等も、好適に採用され得る。但し、以下に示す各態様はあくまでも例示であって、本考案が以下に記載の如き態様に限定されるものではないことが、理解されるべきである。なお、以下の説明において、上述の第一の実施形態と同様な構造とされた部材および部位については、それぞれ、図中に、第一の実施形態と同一の符号を付することにより、それらの詳細な説明を省略する。
【００７３】
図１３に、本考案の第二の実施形態としての片梁式の長尺物用載架台に係るラック５０を示す。ラック５０は、本考案の第二の実施形態としての棚体５２が複数組み合わされることによって構成されている。
【００７４】
図１４乃至１７に、棚体５２を示す。なお、図１４は斜視図、図１５は正面図、図１６は上面図、図１７は右側面図である。棚体５２は、一本の上側支持腕部としての上アーム２０の下方に、一対の下側支持腕部としての下アーム２２が位置せしめられて、これら上下アーム２０，２２が棚体５２の正面視において、一対の下側支持腕部間を底辺とする二等辺三角形の各頂点に位置せしめられていると共に、上アーム２０が下アーム２２のそれぞれに対して、傾斜連結部としての上下連結アーム２４，２４で互いに連結されることによって、正面視において鉛直下方に向かって広がる逆Ｖ字形状を有している。
【００７５】
より詳細には、上下アーム２０，２２はそれぞれ、略一定の矩形断面形状をもってストレートに延びる形状とされており、特に本実施形態においては、略一定の正方形断面を有している。これら上下アーム２０，２２は例えばＩ字形鋼等の剛性材で形成されている。更に、一対の下アーム２２，２２は互いに等しい長手方向寸法とされている一方、上アーム２０の長手方向寸法は、下アーム２２よりも小さくされている。また、特に本実施形態においては、上下アーム２０，２２の断面形状が互いに等しい大きさの正方形とされており、上下アーム２０，２２は、長さを異ならせた同一規格の鋼材から形成されている。
【００７６】
上述の如き一対の下アーム２２が水平方向に広がる同一平面上で所定距離を隔てて互いに平行に配設されると共に、これら一対の下アーム２２と所定距離を隔てた上方において、上アーム２０が下アーム２２と平行に配設されることによって、上下アーム２０，２２が、正面視において三角形の各頂点に配設される。ここにおいて、後述する棚体５２の積み重ねの容易性や、棚体５２を積み重ねたり長尺物１６を載置した際に上アーム２０から上下連結アーム２４を介して両下アーム２２に及ぼされる荷重バランス等を考慮して、上下アーム２０，２２は、二等辺三角形の各頂点に配設されることが好ましく、より好適には、耐荷重強度を確保しつつ、上アーム２０と下アーム２２によって上下寸法が規制される長尺物１６の収容スペースを適当な大きさに確保するために、正三角形の各頂点に配設されることが好ましい。本実施形態においては、上下アーム２０、２２は、正三角形の各頂点に配設されている。更に、上アーム２０は、上面視において、一対の下アーム２２の対向面間からはみ出すことの無いように位置せしめられている。
【００７７】
そして、上アーム２０に対して、一対の下アーム２２の一方および他方が、それぞれ、上下連結アーム２４で連結される。上下連結アーム２４は、略一定の断面形状をもってストレートに延びる形状とされており、特に本実施形態においては、上下アーム２０，２２の断面積よりもやや小さな断面積を有する正方形断面とされている。かかる上下連結アーム２４は、例えばＩ字形鋼等の剛性材で形成されている。
【００７８】
かかる上下連結アーム２４の端部の一方が上アーム２０の端部に溶接等で固着されると共に、他方が下アーム２２の端部からやや内方の部位に溶接等で固着される。これにより、上アーム２０と下アーム２２が、これら上下アーム２０，２２の延び出し方向に直交する方向に延びる上下連結アーム２４で連結される。なお、上下連結アーム２４は、上アーム２０側の端面が上アーム２０の下面に重ね合わされて固着される一方、下アーム２２側の端面が下アーム２２の上面に重ね合わされて固着されている。また、一対の上下連結アーム２４は、前後方向で並んで配設されており、後方に位置する上下連結アーム２４の後方端縁部が、上アーム２０の後方端縁部と等しく位置せしめられている。また、上下連結アーム２４は、下アーム２０の端部からやや内方に固着されており、下アーム２０には、側面視において上下連結アーム２４から後方に突出せしめられた後方突出部５４が設けられている。
【００７９】
これにより、上アーム２０から、上アーム２０の下方に配設された一対の下アーム２２のそれぞれに向けて上下連結アーム２４が延び出す、正面視において逆Ｖ字形状の基本構造体である棚体５２が形成されている。これにより、棚体５２は、上下アーム２０，２２が上下連結アーム２４との連結部分から一方向に互いに独立して突出せしめられて延出方向先端部が自由端とされている。
【００８０】
また、下アーム２２には、下アーム２２の延出方向に直交して左右方向に貫通する一対のボルト挿通孔２７が形成されている。ボルト挿通孔２７は、下アーム２２における両端部からやや内方に形成されており、特に、後方に位置するボルト挿通孔２７は、上下連結アーム２４の下方に位置せしめられて形成されている。
【００８１】
なお、棚体５２の大きさや、棚体５２を構成する上下アーム２０，２２、および上下連結アーム２４の断面の寸法や長さ寸法、上下アーム２０，２２の離隔寸法などは、何等限定されるものではないが、例えば本実施形態においては、上アーム２０は長さ＝１，２００ｍｍ、断面のタテ×ヨコ＝１００×１００ｍｍ、下アーム２２は長さ＝１，６５０ｍｍ、断面のタテ×ヨコ＝１００×１００ｍｍ、上下連結アーム２４は、長さ（特に本実施形態においては、長さ方向両端面が長さ方向に対して傾斜する斜面となることから、最大長さ）＝１，４２９ｍｍ、断面のタテ×ヨコ＝７５×７５ｍｍとされている。そして、棚体５２の上下寸法＝１，４００ｍｍ、左右寸法＝１，４８５ｍｍ、前後寸法は下アーム２２の長さ寸法に等しく１，６５０ｍｍとされている。なお、後方に位置する上下連結アーム２４の後端縁部は、下アーム２２の後端縁部から３００ｍｍ内方に位置せしめられている一方、前方に位置する上下連結アーム２４の前端縁部は、下アーム２２の前端縁部から１，２００ｍｍ内方に位置せしめられている。また、ボルト挿通孔２７はφ１２ｍｍとされており、下アーム２２の下端縁部から４０ｍｍ上方の位置で、前方に位置するボルト挿通孔２７の中心は、下アーム２２の前端縁部から１７５ｍｍ内方に位置せしめられている一方、後方に位置するボルト挿通孔２７の中心は、下アーム２２の後端縁部から３２５ｍｍ内方に位置せしめられている。
【００８２】
そして、このような構造とされた棚体５２が複数組み合わされることによって、ラック５０が構成されている。本実施形態におけるラック５０は３つの棚体５２を組み合わせて構成されており、一対の棚体５２が、それぞれの下アーム２２の外側面を互いに接触乃至は接近させた状態で、上下アーム２０，２２の突出方向を等しく左右方向に並べられて床面や地面などで構成された設置面上に載置されており、これら一対の棚体５２それぞれの上アーム２０に対して、もう一つの棚体５２の下アーム２２が上方から積み重ねられて構成されている。
【００８３】
そこにおいて、下方に位置する棚体５２の上アーム２０と、上方に位置する棚体５２の下アーム２２は、図１８にも示すように、連接部材としての連結金具５６を介して互いに固定されている。特に本実施形態における連結金具５６は、一対の上側壁部３６の対向面間の中間位置が、下側壁部３４の対向面間の中間位置から板状部３２の長手方向で偏倚して形成されている。また、下側壁部３４の対向面間距離は、棚体５２における上アーム２０の左右方向寸法よりも大きく、上アーム２０の左右方向寸法の２倍よりやや小さくされている。一方、上側壁部３６の対向面間距離は、下アーム２２の左右方向寸法より僅かに大きくされている。
【００８４】
このような構造とされた連結金具５６が、積み重ね状態において下方に位置せしめられる棚体５２の上アーム２０を下方開口部３８に嵌め入れるようにして、かかる棚体５２の上アーム２０上に重ね合わされた後に、連結金具３０の上方から、積み重ね状態において上方に位置せしめられる棚体５２の下アーム２２が上方開口部４０に嵌め入れられる。そして、下アーム２２に貫設されたボルト挿通孔２７と上側壁部３６に貫設された挿通孔４２が重ね合わされて、これら両挿通孔２７，４２に固定ボルト４４が挿通されてナット４６で固定されることによって、下アーム２２が上側壁部３６に固定される。なお、かかる固定状態において、下アーム２２は、板状部３２の上面に対して僅かに上方に離隔した非接触状態とされている。
【００８５】
このようにして、複数の棚体５２が組み合わされてラック５０が構成されており、棚体５２の上下連結アーム２４によって支柱１２が構成されていると共に、棚体５２の下アーム２２によって支持アーム１４が構成されている。本実施形態においては、上方に配設された棚体５２の一対の下アーム２２によって棚段４８ａが形成されると共に、下方に配設された一対の棚体５２の合計４つの下アーム２２によって棚段４８ｂが形成されており、ラック５０は、上下方向で所定距離を隔てた２つの棚段４８ａ，４８ｂを有している。
【００８６】
かかるラック５０においては、棚体５２における上下アーム２０，２２が、正面視において正三角形の各頂点に配設されると共に、上アーム２０と各下アーム２２が上下連結アーム２４で連結されている。これにより、上アーム２０上に棚体５２や長尺物１６を載置した場合に、上アーム２０の分担支持荷重を一対の下アーム２２に略均等に及ぼすことが出来て、耐荷重強度を有利に確保することが出来る。
【００８７】
また、棚体５２の下アーム２２には、側面視において上下連結アーム２４の後方に突出する後方突出部５４が形成されていることから、後方への転倒も有利に防止され得る。
【００８８】
そして、収容すべき長尺物１６が存しない場合には、図１９および図２０に示すように、複数の棚体５２を互いに嵌まり合うように重ね合わせる（ネスティングする）ことが可能とされている。本実施形態においては、例えば一対の棚体５２を上下アーム２０，２２の上下連結アーム２４からの突出方向を揃えて同一平面上に載置した状態で、一方の棚体５２における一対の下アーム２２，２２の間に他方の棚体５２の下アーム２２の一方を入れることによって重ね合わせ可能とされている。
【００８９】
図２１に、本考案の第三の実施形態としての片梁式の長尺物用載架台に係るラック６０を示す。ラック６０は、本考案の第三の実施形態としての棚体６２が複数組み合わされることによって構成されている。
【００９０】
図２２乃至２４に、棚体６２を示す。なお、図２２は正面図、図２３は上面図、図２４は右側面図である。棚体６２は、前記第一の実施形態における棚体５２に対して、一対の下アーム２２、２２を連結する左右連結アーム２６が更に設けられた構造とされている。なお、水平連結部としての左右連結アーム２６は、上アーム２０と両下アーム２２，２２を連結する傾斜連結部としての上下連結アーム２４と上面視において重なる位置で下方に配設されている。これにより、棚体６２は正面視において二等辺三角形状を有しており、特に本実施形態においては、前述の第一の実施形態における棚体５２と同様に、正面視において正三角形状を有している。
【００９１】
なお、棚体６２の全体寸法や、前記第二の実施形態における棚体５２と同様の構成部材である上下アーム２０，２２および上アーム２０と下アーム２２を連結する一対の上下連結アーム２４の断面寸法や長さ寸法等は、第二の実施形態における棚体５２と等しくされているが、特に本実施形態においては、一対の下アーム２２を互いに連結する左右連結アーム２６は、上下アーム２０，２２と同じ規格の鋼材から形成されている。従って、左右連結アーム２６は、上下アーム２０，２２と等しい大きさの断面、例えば本実施形態においては、タテ×ヨコ＝１００×１００ｍｍの矩形断面を有しており、上下連結アーム２４に比してその断面積が大きくされている。これにより、一対の下アーム２２と左右連結アーム２６は、互いの下面が同一平面上に位置せしめられている。また、下アーム２２に貫設されるボルト挿通孔２７のうち、下アーム２２の延出方向の後方に形成されるボルト挿通孔２７は、連結金具５６と左右連結アーム２６が互いに干渉しないように、左右連結アーム２６の延出方向の延長線上からやや後方に外れた位置に形成されている。
【００９２】
そして、このような構造とされた棚体６２が複数組み合わされることによって、ラック６０が構成されている。そこにおいて、特に本実施形態においては、３本の連結アーム２４、２６で三角形状が形成されていることによって、より優れた耐荷重強度を得ることが可能とされている。更に、一対の下アーム２２と左右連結アーム２６の下面が同一平面上に位置せしめられていることから、棚体６２の設置面積をより大きく確保することが出来て、より安定して設置することが出来る。
【００９３】
なお、本実施形態における棚体６２は、下アーム２２を連結する連結アーム２６が設置面に接触しており、前述の第一及び第二の実施形態のように前後方向で重ね合わせたネスティングでは十分なコンパクト化を図り難いことから、ネスティングする場合には、例えば、棚体６２を上下アーム２０，２２が連結アーム２４，２６から鉛直上方に延び出すように縦にして上下方向で積み重ねるようにすればよい。
【００９４】
次に、図２５に、本考案の第四の実施形態としての片梁式の長尺物用載架台に係るラック７０を示す。ラック７０は、本考案の第四の実施形態としての棚体７２が複数組み合わされることによって構成されている。
【００９５】
図２６乃至２８に、棚体７２を示す。なお、図２６は正面図、図２７は上面図、図２８は右側面図である。棚体７２は、一対の下アーム２２と、これら下アーム２２の上方に位置せしめられる１本の上アーム２０を含んで構成されており、前記第二の実施形態における棚体５２と同様に、これら上下アーム２０，２２が三角形、特に本実施形態においては、正三角形の各頂点に位置せしめられて、互いに同じ方向に延び出されている。そして、一対の下アーム２２が、これら下アーム２２の延出方向と直交して下アーム２２の対向面間を延びる左右連結アーム２６で互いに連結されていると共に、上アーム２０が、鉛直上下方向に延びる上下連結アーム２４によって、左右連結アーム２６と連結されている。これにより、棚体７２は、正面視において逆Ｔ字形状とされている。
【００９６】
また、前記第二の実施形態と略同様に、一対の下アーム２２を互いに連結する左右連結アーム２６は、下アーム２２の後端部からやや内方に固着されている。これにより、下アーム２２には、左右連結アーム２６から後方に突出する後方突出部５４が設けられている。また、上下連結アーム２４は、後方端縁部を上アーム２０の後方端縁部と等しく位置せしめて、一方の端部が上アーム２０の後端部に固着されていると共に、他方の端部が左右連結アーム２６の長さ方向中間部分に固着されている。
【００９７】
なお、特に本実施形態においては、上アーム２０、下アーム２２、上下連結アーム２４、および左右連結アーム２６の何れもが、同じ規格の鋼材から形成されており、その断面形状が互いに等しくされている。例えば本実施形態においては、これら上下アーム２０、２２、上下連結アーム２４、および左右連結アーム２６は、何れもタテ×ヨコ＝１００×１００ｍｍの矩形断面形状を有するＩ形鋼から形成されている。また、上アーム２０は長さ＝１，２００ｍｍ、下アーム２２は長さ＝１，６５０ｍｍ、上下連結アーム２４は、長さ＝１，２００ｍｍ、左右連結アーム２６は、長さ＝１，２８５ｍｍとされている。そして、棚体７２の上下寸法＝１，４００ｍｍ、左右寸法＝１，４８５ｍｍ、前後寸法は下アーム２２の長さ寸法に等しく１，６５０ｍｍとされている。なお、左右連結アーム２６の後端縁部は、下アーム２２の後端縁部から３００ｍｍ内方に位置せしめられている。
【００９８】
そして、このような構造とされた棚体７２が複数組み合わされることによって、ラック７０が構成されている。例えば、図２５に示すラック７０は、一対の棚体７２が載置面上で下アーム２２の外面を互いに接触させた状態で配設されると共に、かかる一対の棚体７２の上方から、もう１つの棚体７２が重ね合わされている。また、上下方向で重ね合わされる棚体７２は、前記第二の実施形態と同様に、連結金具５６を介して互いに重ね合わされている。なお、下アーム２２に貫設されるボルト挿通孔２７のうち、下アーム２２の延出方向の後方に形成されるボルト挿通孔２７は、連結金具５６と左右連結アーム２６が互いに干渉しないように、左右連結アーム２６の延出方向の延長線上からやや後方に外れた位置に形成されている。
【００９９】
かかるラック７０においては、上アーム２０から鉛直下方に上下連結アーム２４が延び出すことによって、上アーム２０の鉛直方向の荷重に対する強度をより強固に確保することが出来る。また、前記第三の実施形態における棚体６２と同様に、一対の下アーム２２とこれらを連結する左右連結アーム２６で底面が構成されることから、より安定した設置を行なうことが出来る。また、特に本実施形態においては、上下アーム２０，２２、上下連結アーム２４および左右連結アーム２６の何れもが同じ規格の鋼材で形成されていることから、棚体７２を製造するに際して用意すべき鋼材の種類を少なくすることが出来て、棚体７２をより安価に製造することが出来る。
【０１００】
なお、本実施形態における棚体７２の上アーム２０は、一対の連結アーム２４、２６を介して下アーム２２に連結されている。このように、上側支持腕部および下側支持腕部は、必ずしも一本の連結部で互いに連結されている必要は無く、複数の連結部を介して互いに連結されていても良い。また、本実施形態および前記第二、第三の実施形態は上下アーム２０，２２が何れも三角形の頂点に位置せしめられているが、連結アーム２４，２６の配設態様は各実施形態で異ならされており、本実施形態においては逆Ｔ字形状とされる一方、前記第二の実施形態においては逆Ｖ字形状、また、前記第三の実施形態においては三角形状とされている。このことから明らかなように、上側支持腕部と下側支持腕部を連結する連結体の具体的構造は、特に限定されるものではない。
【０１０１】
次に、図２９に、本考案の第五の実施形態としての片梁式の長尺物用載架台に係るラック８０を示す。ラック８０は、本考案の第五の実施形態としての棚体８２が複数組み合わされることによって構成されている。
【０１０２】
図３０乃至３２に、棚体８２を示す。なお、図３０は正面図、図３１は上面図、図３２は右側面図である。棚体８２は、一対の下アーム２２と、これら下アーム２２それぞれの上方に位置せしめられる一対の上アーム２０を含んで構成されており、これら上下アーム２０，２２が四角形、特に本実施形態においては、略正方形の各頂点に位置せしめられて、互いに同じ方向に延び出されている。そして、一対の下アーム２２が、これら下アーム２２の延出方向と直交して下アーム２２の対向面間を延びる左右連結アーム２６で互いに連結されていると共に、一対の上アーム２０が、鉛直上下方向に延びる上下連結アーム２４によって、鉛直下方に位置する下アーム２２に対してそれぞれ連結されている。これにより、棚体８２は、正面視において、上方に開口するコの字形状とされている。
【０１０３】
また、本実施形態においても、前記第三の実施形態と略同様に、左右連結アーム２６は、下アーム２２の後端部からやや内方に固着されている。これにより、下アーム２２には、左右連結アーム２６から後方に突出する後方突出部５４が設けられている。また、上下連結アーム２４は、後方端縁部を上アーム２０の後方端縁部と等しく位置せしめて、一方の端部が下アーム２２において左右連結アーム２６が固着された長さ方向位置と同じ位置に固着されている。
【０１０４】
なお、特に本実施形態においても、上アーム２０、下アーム２２、上下連結アーム２４、左右連結アーム２６の何れもが、同じ規格の鋼材から形成されており、その断面形状が互いに等しくされている。例えば本実施形態においては、これら上下アーム２０、２２、上下および左右連結アーム２４、２６は、何れもタテ×ヨコ＝１００×１００ｍｍの矩形断面形状を有するＩ形鋼から形成されている。また、上アーム２０は長さ＝１，２００ｍｍ、下アーム２２は長さ＝１，６５０ｍｍ、上下連結アーム２４は、長さ＝１，２００ｍｍ、左右連結アーム２６は、長さ＝１，２８５ｍｍ、とされている。そして、棚体８２の上下寸法＝１，４００ｍｍ、左右寸法＝１，４８５ｍｍ、前後寸法は下アーム２２の長さ寸法に等しく１，６５０ｍｍとされている。なお、左右連結アーム２６の後端縁部および上下連結アーム２４の後端縁部は、下アーム２２の後端縁部から下アーム２２の長さ方向で３００ｍｍ内方に位置せしめられている。
【０１０５】
そして、このような構造とされた棚体８２が複数組み合わされることによって、ラック８０が構成されている。例えば、図２９に示すラック８０は、一対の棚体８２が設置面上で左右方向に所定距離を隔てて配設されると共に、かかる一対の棚体８２において左右方向で隣り合わされた上アーム２０のそれぞれに対して、もう１つの棚体８２の下アーム２２がそれぞれ上方から重ね合わされている。なお、本実施形態においても、上下方向で重ね合わされる棚体８２は、連結金具５６を介して互いに重ね合わされている。また、本実施形態においても、下アーム２２に貫設されるボルト挿通孔２７のうち、下アーム２２の延出方向の後方に形成されるボルト挿通孔２７は、連結金具５６と左右連結アーム２６が互いに干渉しないように、左右連結アーム２６の延出方向の延長線上からやや後方に外れた位置に形成されている。
【０１０６】
かかるラック８０においては、棚体８２が上アーム２０を一対備えていることから、高さ方向の最上位に位置せしめられる上アーム２０によっても棚段を形成することが可能とされており、本実施形態のように１つの棚体８２を積み重ねたのみであっても、上方に位置する棚体８２の一対の上アーム２０によって棚段４８ａが、かかる棚体８２の一対の下アーム２２によって棚段４８ｂが、下方に位置する一対の棚体８２の４本の下アーム２２によって棚段４８ｃが形成されており、３つの棚段４８ａ乃至４８ｃを得ることが出来る。
【０１０７】
次に、図３３に、本考案の第六の実施形態としての片梁式の長尺物用載架台に係るラック９０を示す。ラック９０は、本考案の第六の実施形態としての棚体９２が複数組み合わされることによって構成されている。
【０１０８】
図３４乃至３６に、棚体９２を示す。なお、図３４は正面図、図３５は上面図、図３６は右側面図である。棚体９２は、一対の下アーム２２と、一対の上アーム２０を含んで構成されており、上下アーム２０，２２が台形、特に本実施形態においては、上底が下底よりも小さく、左右が対称とされた台形の各頂点に位置せしめられて、互いに同じ方向に延び出されている。そして、かかる台形の４辺に対応するように上下方向成分をもって延びる一対の上下連結アーム２４と左右方向に延びる一対の左右連結アーム２６が配設されて、これらの上下および左右連結アーム２４、２６によって、上下アーム２０，２２のそれぞれが互いに連結されている。これにより、棚体９２は、正面視において上底が下底よりも小さい左右対称の台形状とされている。
【０１０９】
また、本実施形態においても、前記第三の実施形態と略同様に、下アーム２２に連結される左右連結アーム２６は、下アーム２２の後端部から下アーム２２の延び出し方向でやや内方に固着されている。これにより、下アーム２２には、かかる左右連結アーム２６から後方に突出する後方突出部５４が設けられている。また、上アーム２０に固着される上下及び左右連結アーム２４、２６は、後方端縁部が上アーム２０の後方端縁部と等しく位置せしめられている。
【０１１０】
なお、特に本実施形態においても、上アーム２０、下アーム２２、上下及び左右連結アーム２４、２６の何れもが、同じ規格の鋼材から形成されており、その断面形状が互いに等しくされている。例えば本実施形態においては、これら上下アーム２０、２２、上下及び左右連結アーム２４、２６は、何れもタテ×ヨコ＝１００×１００ｍｍの矩形断面形状を有するＩ形鋼から形成されている。また、上アーム２０は長さ＝１，２００ｍｍ、下アーム２２は長さ＝１，６５０ｍｍ、上アーム２０を互いに連結する左右連結アーム２６は、長さ＝６８５ｍｍ、下アーム２２を互いに連結する左右連結アーム２６は、長さ＝１，２８５ｍｍとされている。そして、棚体９２の上下寸法＝１，４００ｍｍ、上底の左右寸法＝８８５ｍｍ、下底の左右寸法＝１，４８５ｍｍ、前後寸法は下アーム２２の長さ寸法に等しく１，６５０ｍｍとされている。なお、上下連結アーム２４の後端縁部は、前後方向で下アーム２２の後端縁部から３００ｍｍ内方に位置せしめられている。
【０１１１】
そして、このような構造とされた棚体９２が複数組み合わされることによって、ラック９０が構成されている。例えば、図３３に示すラック９０は、一対の棚体９２が設置面上で左右方向に所定距離を隔てて配設されると共に、かかる一対の棚体９２において左右方向で隣り合わされた上アーム２０のそれぞれに対して、もう１つの棚体９２の下アーム２２がそれぞれ上方から重ね合わされている。なお、本実施形態においても、上下方向で重ね合わされる棚体９２は、連結金具５６を介して互いに重ね合わされている。また、本実施形態においても、下アーム２２の延出方向の後方に形成されるボルト挿通孔２７は、左右連結アーム２６の延出方向の延長線上からやや後方に外れた位置に形成されている。
【０１１２】
かかるラック９０においては、前記第一の実施形態と同様に、棚体９２が上アーム２０を一対備えていることから、高さ方向の最上位に位置せしめられる上アーム２０によっても棚段４８ａを形成することが出来る。そして、上下アーム２０，２２のそれぞれが上下及び左右連結アーム２４、２６で互いに連結されていることによって、耐荷重強度を有利に確保することが出来る。更に、下底が上底よりも大きくされていることから、設置面や下方に位置する棚体９２の上に安定して載置することが出来る。
【０１１３】
なお、本実施形態においても、下アーム２２，２２を連結する左右連結アーム２６が棚体９２の下端部に位置せしめられることから、棚体９２をネスティングする際には、上下アーム２０，２２が上下及び左右連結アーム２４，２６から鉛直上方に延び出すように縦にして、上下方向で積み重ねることが好ましい。
【０１１４】
次に、図３７に、本考案の第七の実施形態としての片梁式の長尺物用載架台に係るラック１００を示す。ラック１００は、本考案の第七の実施形態としての棚体１０２が複数組み合わされることによって構成されている。
【０１１５】
図３８乃至４０に、棚体１０２を示す。なお、図３８は正面図、図３９は上面図、図４０は右側面図である。棚体１０２は、第二の実施形態における棚体５２と略同様に、一対の下アーム２２と１本の上アーム２０を含んで構成されており、これら上下アーム２０，２２が三角形、特に本実施形態においては正三角形の各頂点に位置せしめられて、互いに同じ方向に延び出されている。そして、上アーム２０が下アーム２０のそれぞれに対して、上下連結アーム２４で連結されている。これにより、棚体１０２は、正面視において鉛直下方に向けて広がる逆Ｖ字形状とされている。
【０１１６】
そこにおいて、特に本実施形態における上下アーム２０，２２の長さ寸法は第二の実施形態における上下アーム２０，２２の長さ寸法より大きくされている。そして、下アーム２２の長さ方向の中間部分に、上下連結アーム２４が固着されている。一方、上アーム２０は、下アーム２２に比してやや小さな長さ寸法を有し、一方の端縁部の位置が、下アーム２０の端縁部と揃えられている。これにより、上下連結アーム２４は、上アーム２０の長さ方向中間部分からやや偏倚した位置に固着されている。また、本実施形態におけるボルト挿通孔２７は、下アーム２２の長さ方向両端部からやや内方に位置せしめられた２箇所と、下アーム２２の長さ方向中間部分の１箇所の、合計３箇所に形成されている。
【０１１７】
なお、本実施形態における上下アーム２０，２２および上下連結アーム２４は、第二の実施形態における上下アーム２０，２２および上下連結アーム２４と同様の鋼材から形成されている。例えば本実施形態においては、上アーム２０は長さ＝２，４００ｍｍ、断面のタテ×ヨコ＝１００×１００ｍｍ、下アーム２２は長さ＝２，５５０ｍｍ、断面のタテ×ヨコ＝１００×１００ｍｍ、上下連結アーム２４は、長さ（特に本実施形態においては、長さ方向両端面が長さ方向に対して傾斜する斜面となることから、最大長さ）＝１，４２９ｍｍ、断面のタテ×ヨコ＝７５×７５ｍｍとされている。そして、棚体１０２の上下寸法＝１，４００ｍｍ、左右寸法＝１，４８５ｍｍ、前後寸法は下アーム２２の長さ寸法に等しく２，５５０ｍｍとされている。なお、一対の上下連結アーム２４は、前記第二の実施形態と同様に前後方向に並んで配設されており、後方に位置する上下連結アーム２４の後端縁部は、下アーム２２の後端縁部から下アーム２２の長さ方向で１，２００ｍｍの位置に位置せしめられると共に、前方に位置する上下連結アーム２４の前端縁部は、下アーム２２の前端縁部から下アーム２２の長さ方向で１，２００ｍｍの位置に位置せしめられている。また、下アーム２２の中間部分に位置せしめられるボルト挿通孔２７の中心は、下アーム２２の前方端縁部から１，２２５ｍｍ内方に位置せしめられている一方、かかる中間部分のボルト挿通孔２７を挟む一対のボルト挿通孔２７は、それぞれ、下アーム２２の端縁部から１７５ｍｍ内方に位置せしめられている。
【０１１８】
そして、このような構造とされた棚体１０２が複数組み合わされることによって、ラック１００が構成されている。例えば、図３７に示すラック１００は、前記第二の実施形態と同様に、一対の棚体１０２がそれぞれの下アーム２２の外側面を互いに接触乃至は接近させた状態で設置面上に載置されており、これら一対の棚体１０２それぞれの上アーム２０に対して、もう一つの棚体１０２の下アーム２２が上方から積み重ねられて構成されている。なお、本実施形態においては、下アーム２２に３つのボルト挿通孔２７が形成されており、片側の上下アーム２０，２２間について３つの連結金具５６を介して棚体１０２が積み重ねられている。
【０１１９】
かかるラック１００においては、上下アーム２０、２２が上下連結アーム２４から水平方向の両方向に延び出されていることから、上下連結アーム２４を挟んだ両側に棚段を形成することが出来る。即ち、本実施形態においては、一本の上アーム２０および下アーム２２のそれぞれによって、上下連結アーム２４によって構成される支柱１２の両側に突出する一対の支持アーム１４が形成されているのであり、これら支持アーム１４が上下連結アーム２４によって相互に基端部のみで連結されており、上下アーム２０，２２で囲まれた状態で立方体形状として観念される囲繞領域が、上下アーム２０，２２における上下連結アーム２４との連結部分の両側に形成されている。更に、本実施形態においては、下アーム２２が上下連結アーム２４から両方向に延び出されていることによって、下アーム２２における上下連結アーム２４からの突出部の一方が、他方に対する後方突出部として作用することとなり、設置面や下方に位置せしめられる棚体１００に対して安定して載置することが出来る。特に、下アーム２４の上下連結アーム２４からの突出寸法が両側で等しくされていることから、より安定して載置することが出来る。
【０１２０】
以上、本考案の幾つかの実施形態について詳述してきたが、これらはあくまでも例示であって、本考案は、かかる具体的な記載によって、何等、限定的に解釈されるものでない。
【０１２１】
例えば、長尺物用載架台を構成するために用いる棚体の数や、配設態様は何等限定されるものではない。例えば、棚段が１つ乃至は２つのみで良い場合には、複数の棚体を積み重ねることなく水平方向に並べるのみでも良い。
【０１２２】
なお、前記第一の実施形態において、棚体１８を水平方向に複数並べる場合には、単に複数の棚体１８を互いに非固定的に水平方向に並べても良いが、例えば、図４１に示すように、連接部材の異なる態様としての連結金具１１０を用いて、水平方向で隣接する棚体１８を互いに固定するなどしても良い。連結金具１１０には、図４２に示すように、板状部３２の上面における長手方向両端縁部とその中間部分に上方に突出する上側壁部３６が形成されていると共に、板状部３２の下面における長手方向両端縁部とその中間部分に下方に突出する下側壁部３４が形成されている。そして、一対の上側壁部３６の対向面間距離および一対の下側壁部３４の対向面間距離が棚体１８の上下アーム２０，２２の左右方向寸法よりも僅かに大きくされており、これにより、連結金具１１０には、一対の上方開口部４０と、一対の下方開口部３８が形成されている。
【０１２３】
そして、水平方向で隣接する棚体１８の各上アーム２０を下方開口部３８に嵌め入れることによって、水平方向で隣接する棚体１８を連結金具１１０を介して互いに連結することが出来る。また、棚体１８を積み重ねる場合には、上方に位置せしめられる棚体１８の下アーム２２を上方開口部４０に嵌め入れて下アーム２２のボルト挿通孔２７と上側壁部３４に貫設された挿通孔４２を位置合わせして、これら挿通孔２７、４２に固定ボルト４４を挿し通してナット４６で締結すれば、上下に配設された棚体１８を互いに固定的に連結することが出来る。
【０１２４】
また、図４１に例えば第一の実施形態におけるラック１０を例に示すように、最上段に設置された棚体１８の支持アーム１４によって形成される棚段４８ａに屋根部材１１１を載置せしめるなどしても良い。図４１においては、板状の屋根部材１１１が最上位に位置する支持アーム１４によって水平方向に広がるように支持されている。このようにすれば、ラック１０に保管等される長尺物１６を風雨等から保護することが出来る。なお、屋根部材１１１としては、硬質の部材に限定されるものではなく、例えばビニールシートなどの変形容易なものでも良い。特にビニールシートなどによってラック１０の側面を含む略全体を覆うようにすれば、ラック１０に保管等される長尺物１６を風雨等からより効果的に保護することが出来る。
【０１２５】
また、図４３に前記第五の実施形態における棚体５２を例に示すように、何れの実施形態においても、棚体を３つ以上積み重ねることも勿論可能である。このような場合には、例えば、図４４に示す連接部材の更に異なる態様としての連結金具１１２が好適に用いられる。連結金具１１２は、前記連結金具１１０と同様に、板状部３２の上面における長手方向両端縁部と中間部分に上側壁部３６が一体形成されている。また、一対の下側壁部３４は、それぞれ、連結金具１１２の長手方向両端縁部からやや内方に形成されている。これにより、連結金具１１２には、一つの下方開口部３８と一対の上方開口部４０が形成されている。
【０１２６】
そして、下方に配設された棚体５２の上アーム２０に対して、連結金具１１２の下方開口部３８を上方から嵌め合わせると共に、連結金具１１２の一対の上方開口部４０のそれぞれに対して、上方に配設される一対の棚体５２の下アーム２２を上方から嵌め入れる。続いて、一対の下アーム２２のボルト挿通孔２７と上側壁部１１６に貫設された挿通孔４２を位置合わせして、これら挿通孔２７，４２に固定ボルト４４を挿し通して、ナット４６で締結する。これにより、棚体５２を３つ以上積み重ねることも可能となる。
【０１２７】
更にまた、図４５に前記第四の実施形態としての棚体７２を例に示すように、鉛直方向および水平方向に延びて各アームを相互に連結する連結部を補強する補強部材を設けるなどしても良い。図４５においては、上下連結アーム２４と左右連結アーム２６が、上下連結アーム２４の左右両側において、鋼材等から形成された一対の補強部材としての補強アーム１１４で連結されている。このようにすれば、棚体の耐荷重強度をより向上せしめることが出来る。
【０１２８】
また、例えば前記第二の実施形態としての棚体５２等に設けられた後方突出部５４は必ずしも必要ではない。例えば、棚体５２において、後方突出部５４を設けることなく、上下アーム２０，２２を何れも連結アーム２４から一方向にのみ突出せしめれば、棚体５２を側面視においてコの字形状とすることが出来て、倉庫の堅壁面などに対して隙間無く設置することが出来る。
【０１２９】
また、前記各実施形態においては、上側支持腕部と下側支持腕部が互いに同じ規格の鋼材から形成されていたが、互いに異なる鋼材等から形成することも勿論可能である。
【０１３０】
更に、複数の棚体を組み合わせて長尺物用の載架台を形成するに際して、互いに異なる形状の棚体を組み合わせて長尺物用の載架台を形成するなどしても良く、例えば、前記第一の実施形態における棚体１８と前記第二の実施形態における棚体５２を適当に組み合わせて長尺物用の載架台を形成する等しても良い。
【０１３１】
更にまた、前記各実施形態においては、上下に積み重ねられた棚体を連結する連接部材が、上方に位置せしめられる棚体の下側支持腕部にのみボルトで連結されていたが、下方に位置せしめられる棚体の上側支持腕部にもボルト等で連結する等しても良い。
【０１３２】
また、前記各実施形態においては、下方に位置する棚体と上方に位置する棚体の間に連接部材が介在せしめられていたが、例えば下方に位置する棚体の上側支持腕部と上方に位置する棚体の下側支持腕部を直接に重ね合わせるようにしても良い。
【０１３３】
その他、一々列挙はしないが、本考案は、当業者の知識に基づいて種々なる変更，修正，改良等を加えた態様において実施され得るものであり、また、そのような実施態様が、本考案の趣旨を逸脱しない限り、何れも、本考案の範囲内に含まれるものであることは、言うまでもない。
【図面の簡単な説明】
【０１３４】
【図１】本考案の第一の実施形態としての片梁式の長尺物用載架台を示す正面図。
【図２】同片梁式の長尺物用載架台の右側面図。
【図３】同片梁式の長尺物用載架台を構成する棚体の斜視図。
【図４】同棚体の正面図。
【図５】同棚体の背面図。
【図６】同棚体の上面図。
【図７】同棚体の下面図。
【図８】同棚体の右側面図。
【図９】同棚体の左側面図。
【図１０】図１に示した片梁式の長尺物用載架台の連結部分を説明するための要部拡大説明図。
【図１１】図４に示した棚体の重ね合わせ状態を説明するための正面説明図。
【図１２】図４に示した棚体の重ね合わせ状態を説明するための上面説明図。
【図１３】本考案の第二の実施形態としての片梁式の長尺物用載架台を示す正面図。
【図１４】同片梁式の長尺物用載架台を構成する棚体の斜視図。
【図１５】同棚体の正面図。
【図１６】同棚体の上面図。
【図１７】同棚体の右側面図。
【図１８】図１３に示した片梁式の長尺物用載架台の連結部分を説明するための要部拡大説明図。
【図１９】図１４に示した棚体の重ね合わせ状態を説明するための正面説明図。
【図２０】図１４に示した棚体の重ね合わせ状態を説明するための上面説明図。
【図２１】本考案の第三の実施形態としての片梁式の長尺物用載架台を示す正面図。
【図２２】同片梁式の長尺物用載架台を構成する棚体の正面図。
【図２３】同棚体の上面図。
【図２４】同棚体の右側面図。
【図２５】本考案の第四の実施形態としての片梁式の長尺物用載架台を示す正面図。
【図２６】同片梁式の長尺物用載架台を構成する棚体の正面図。
【図２７】同棚体の上面図。
【図２８】同棚体の右側面図。
【図２９】本考案の第五の実施形態としての片梁式の長尺物用載架台を示す正面図。
【図３０】同片梁式の長尺物用載架台を構成する棚体の正面図。
【図３１】同棚体の上面図。
【図３２】同棚体の右側面図。
【図３３】本考案の第六の実施形態としての片梁式の長尺物用載架台を示す正面図。
【図３４】同片梁式の長尺物用載架台を構成する棚体の正面図。
【図３５】同棚体の上面図。
【図３６】同棚体の右側面図。
【図３７】本考案の第七の実施形態としての片梁式の長尺物用載架台を示す正面図。
【図３８】同片梁式の長尺物用載架台を構成する棚体の正面図。
【図３９】同棚体の上面図。
【図４０】同棚体の右側面図。
【図４１】図３に示した棚体によって構成される片梁式の長尺物用載架台の異なる態様を示す正面図。
【図４２】図４１に示した片梁式の長尺物用載架台の連結部分を説明するための要部拡大説明図。
【図４３】図１４に示した棚体によって構成される片梁式の長尺物用載架台の異なる態様を示す正面図。
【図４４】図４３に示した片梁式の長尺物用載架台の連結部分を説明するための要部拡大説明図。
【図４５】図２６に示した棚体の異なる態様を示す正面図。
【符号の説明】
【０１３５】
１０：ラック、１２：支柱、１４：支持アーム、１６：長尺物、１８：棚体、２０：上アーム部材、２２：下アーム部材、２４：上下連結アーム、２６：左右連結アーム、３０：連結金具
【図１】
0003144064.tif 000003
【図２】
0003144064.tif 000004
【図３】
0003144064.tif 000005
【図４】
0003144064.tif 000006
【図５】
0003144064.tif 000007
【図６】
0003144064.tif 000008
【図７】
0003144064.tif 000009
【図８】
0003144064.tif 000010
【図９】
0003144064.tif 000011
【図１０】
0003144064.tif 000012
【図１１】
0003144064.tif 000013
【図１２】
0003144064.tif 000014
【図１３】
0003144064.tif 000015
【図１４】
0003144064.tif 000016
【図１５】
0003144064.tif 000017
【図１６】
0003144064.tif 000018
【図１７】
0003144064.tif 000019
【図１８】
0003144064.tif 000020
【図１９】
0003144064.tif 000021
【図２０】
0003144064.tif 000022
【図２１】
0003144064.tif 000023
【図２２】
0003144064.tif 000024
【図２３】
0003144064.tif 000025
【図２４】
0003144064.tif 000026
【図２５】
0003144064.tif 000027
【図２６】
0003144064.tif 000028
【図２７】
0003144064.tif 000029
【図２８】
0003144064.tif 000030
【図２９】
0003144064.tif 000031
【図３０】
0003144064.tif 000032
【図３１】
0003144064.tif 000033
【図３２】
0003144064.tif 000034
【図３３】
0003144064.tif 000035
【図３４】
0003144064.tif 000036
【図３５】
0003144064.tif 000037
【図３６】
0003144064.tif 000038
【図３７】
0003144064.tif 000039
【図３８】
0003144064.tif 000040
【図３９】
0003144064.tif 000041
【図４０】
0003144064.tif 000042
【図４１】
0003144064.tif 000043
【図４２】
0003144064.tif 000044
【図４３】
0003144064.tif 000045
【図４４】
0003144064.tif 000046
【図４５】
0003144064.tif 000047